(57)【要約】【課題】磁気刺激による経穴点及び非経穴点の有している生体光子放出特性の差を利用し、経穴点の位置を正確ながらも容易に測定できる経穴点の探索装置及び方法を提供する。【解決手段】生体の所定部位に磁場を印加する磁場印加部と、生体から放出される生体光子を測定するための生体光子測定部及び生体光子測定部から測定された値を利用し、前記所定部位が経穴点であるか否かを判断する経穴点判断部を含む装置である。従って、生体の特定部位に磁場刺激を加えた場合、特定部位から出てくる生体光子の量と特定部位ではない他の生体部位から出てくる生体光子の量とを比較して経穴点であるか否かを知ることができる。【選択図】図２
2005199068.tif 000002
【特許請求の範囲】
【請求項１】
生体光子を放出する生体に対する磁場刺激による生体光子の放出量変化を介して経穴点を検出するための装置において、
前記生体の所定部位に前記磁場を印加する磁場印加部と、
前記生体から放出される前記生体光子を測定するための生体光子測定部と、
前記生体光子測定部から測定された値を利用し、前記所定部位が経穴点であるか否かを判断する経穴点判断部とを含むことを特徴とする経穴点の検出装置。
【請求項２】
前記磁場印加部は、永久磁石を利用して１０Ｇａｕｓｓないし１，０００Ｇａｕｓｓ範囲の磁場を印加することを特徴とする請求項１に記載の経穴点の検出装置。
【請求項３】
前記磁場印加部は、交流または直流の電流を調節して６０Ｈｚ以内の超極低周波磁場を印加することを特徴とする請求項１に記載の経穴点の検出装置。
【請求項４】
前記所定部位の直径が１ｃｍ以内である場合にも、磁場刺激が可能なように前記磁場印加部が設計されたことを特徴とする請求項１に記載の経穴点の検出装置。
【請求項５】
前記生体光子測定部が光電子増倍管であることを特徴とする請求項１に記載の経穴点の検出装置。
【請求項６】
前記光電子増倍管が２００ｎｍないし７００ｎｍ範囲の波長を有する光子を測定できることを特徴とする請求項５に記載の経穴点の検出装置。
【請求項７】
前記光電子増倍管の有効直径は、１ｃｍ以内の範囲で経穴点を探索できることを特徴とする請求項６に記載の経穴点の検出装置。
【請求項８】
前記生体光子測定部は、二つ以上の光電子増倍管が同時に近接して使われる構成、多重チャンネル光増倍管または電荷結合素子のうちいずれか一つから形成され、生体光子放出量の空間的分布を測定できることを特徴とする請求項１に記載の経穴点の検出装置。
【請求項９】
前記生体が人体である場合に、前記経穴点は、曲沢または内関穴などからなるグループから選択された一つであることを特徴とする請求項１に記載の経穴点の検出装置。
【請求項１０】
生体光子を放出する生体に対する磁場刺激による生体光子の放出量変化を介して経穴点を検出する方法において、
測定部位をｎ個の領域に分割する段階と、
ｉ番目領域に対する生体光子の強さを測定する段階（ここで、ｉは１ないしｎの整数である）と、
所定値とｉ番目領域で測定された生体光子の強さとを比較し、ｉ番目領域が経穴点であるか否かを判断する段階とを含むことを特徴とする経穴点の検出方法。
【請求項１１】
前記ｉ番目領域が経穴点であるか否かを判断する段階は、
生体光子強さの平均値Ｉａを計算する段階と、
ｉ番目の領域から測定された生体光子の強さＩｉを平均値Ｉａと比較し、ｉ番目領域が経穴点であるか否かを判断する段階とを含むことを特徴とする請求項１０に記載の経穴点の検出方法。
【請求項１２】
前記生体光子強さの平均値Ｉａを計算する段階が次の数式
【数１】
2005199068.tif 000005
によって行われ、ここで、Ｉａは生体光子強さの平均値を表し、ｎは測定しようとする生体部位を分割した領域の個数を意味することを特徴とする請求項１１に記載の経穴点の検出方法。
【請求項１３】
前記ｉ番目の領域から測定された生体光子の強さＩｉを平均値Ｉａと比較し、ｉ番目領域が経穴点であるか否かを判断する段階が次の数式
【数２】
2005199068.tif 000006
によって決定され、ここで、Ｉａは測定された生体光子強さの平均値であり、Ｉｉはｉ番目に測定された領域の生体光子の強さを、Ｉｔｈは所定値を表すことを特徴とする請求項１２に記載の経穴点の検出方法。
【請求項１４】
前記所定値Ｉｔｈは、１分間測定された生体光子の個数差が５０個以上である場合に該当する値であることを特徴とする請求項１３に記載の経穴点の検出方法。
【請求項１５】
生体に対する磁場印加による生体光子の放出量変化を介して特定部位を測定するための装置において、
前記生体の測定部位をに前記磁場を印加する磁場印加部と、
前記測定部位から放出される前記生体光子を測定するための生体光子測定部と、
前記生体光子測定部から測定された値を利用し、前記測定部位が特定部位であるか否かを判断する判断部とを含むことを特徴とする磁場の影響測定装置。
【請求項１６】
前記磁場印加部は、永久磁石を利用して１０Ｇａｕｓｓないし１，０００Ｇａｕｓｓ範囲の磁場を印加することを特徴とする請求項１５に記載の磁場の影響測定装置。
【請求項１７】
前記測定部位の直径が１ｃｍ以内である場合にも、磁場刺激が可能なように前記磁場印加部が設計されたことを特徴とする請求項１５に記載の磁場の影響測定装置。
【請求項１８】
前記光電子増倍管が２００ｎｍないし７００ｎｍ範囲の波長を有する光子を測定できることを特徴とする請求項１７に記載の磁場の影響測定装置。
【請求項１９】
前記特定部位が癌の腫瘍であることを特徴とする請求項１５に記載の磁場の影響測定装置。
【請求項２０】
前記生体がラットのような小動物であることを特徴とする請求項１５に記載の磁場の影響測定装置。
【発明の詳細な説明】
【技術分野】
【０００１】
本発明は、生体の経穴点の探索測定装置及び該方法に係り、さらに詳細には磁気刺激に対する経穴点及び非経穴点が有している生体光子放出特性の差を利用し、経穴点の位置を正確かつ容易に測定できる経穴点の探索装置及び該方法に関する。
【背景技術】
【０００２】
生物体から放出される光子の生体光子（ｂｉｏｐｈｏｔｏｎ）についての研究は、１９２０年代初めにロシアの科学者らが生体組織がいかように相異なる器官の大きさと形態とについての情報を伝達して変形させるかについての問題を議論してから始まった。これは、生命科学で解かねばならない最も核心的な問題のうちの一つであるが、彼らは玉ネギの根を利用した実験を介して細胞分裂の刺激に光が関与できることを主張した。
【０００３】
このような実験は何年か後に他の研究者らにより確認されたにもかかわらず、適切な光子測定装置の不在と生化学の速い発達によりしばらく忘れられた状態にあった。その後、光電子増倍管（ＰＭＴ：ＰｈｏｔｏＭｕｌｔｉｐｌｉｅｒ Ｔｕｂｅ）の開発が急速に進展すると共に、熱的放射（ｔｈｅｒｍａｌ ｒａｄｉａｔｉｏｎ）では説明できない可視光線領域の生体発光についての研究が日本の稲葉、米国のＢｏｖｅｒｉｓ、オーストリアのＱｕｉｃｈｅｎｄｅｎらの小グループを中心に進められた。
【０００４】
一方、生命体の研究では、人体の健康または疾病を診断したり、または気の流れを円滑にするための指圧を効果的に行うために経穴点（ツボ）を探すことが非常に重要である。従って、最近に経穴点を探索する装置の開発が漢方（または韓方）医学的診断及び治療のためにその必要性がだんだんと高まってきており、これについての研究が多様に進められている。
【０００５】
図１は、従来技術によって経穴点を探索する装置の機能的ブロック線図である。
【０００６】
図１に図示された経穴点の探索装置は、所定の波長を有する光を発生させるための光源部１０１と、試験対象体１１０に所定の電気信号を印加し、透過された電気信号を測定して前記試験対象体１１０の電気伝導率信号を発生させる役割を行う電気測定部１０２と、光源部１０１と電気測定部１０２とで使われる電圧を供給して制御するための電源制御部１０４と、試験対象体１１０から反射されたり透過された光を受信し、電気信号に変換させた反射光信号を発生させて信号処理部１０５に提供する受光部１０３と、信号処理部１０５から測定されたデータを受けて分析するユーザ提供部１０６と、信号処理部１０５とを備える。
【０００７】
従来の経穴点の探索装置で、信号処理部１０５は受光部１０３から反射光信号を提供され、電気測定部１０２から試験対象体１１０の電気伝導率信号を提供された後、それらの信号をデジタル信号に変換してユーザ提供部１０６に提供する。また、入射光ファイバ１０７は、光源部１０１から発生した光信号を試験対象体１１０に伝達する一方、反射光ファイバ１０８は、試験対象体１１０から反射されて戻ってくる光を受信して受光部１０３に伝達する。
【０００８】
一方、ユーザ提供部１０６は、必要によって信号処理部１０５の動作を制御する制御信号を送ることもある。また、貯蔵装置を含んで前記反射光信号及び電気伝導率信号を保存する機能を行う。そして、ユーザ提供部１０６の出力端子のうち一つは、電源制御部１０４の入力端子と連結され、かかる形態でフィードバックシステムを形成する。
【０００９】
しかし、前述した従来の経穴点の探索装置は、局所的であって異なる経穴点との相関関係が分からないだけではなく、生体で測定される微弱な電気的信号や、電気抵抗、インピーダンスなどの測定は、測定部位の湿度や温度のような周囲環境の変数に影響されるという問題点がある。
【発明の開示】
【発明が解決しようとする課題】
【００１０】
従って、本発明の目的は、周囲の変数にあまり影響されない生体光子の特性を利用し、さらに正確な経穴点探索が可能な経穴点の探索装置及び方法を提供することである。
【００１１】
また、本発明の他の目的は、磁場刺激による生体光子の放出量変化による特定部位を測定するための装置を提供することである。
【課題を解決するための手段】
【００１２】
本発明の一類型によれば、生体光子を放出する生体に対する磁場刺激による生体光子の放出量変化を介して経穴点を検出するための装置において、生体の所定部位に磁場を印加する磁場印加部と、生体から放出される生体光子を測定するための生体光子測定部と、生体光子測定部から測定された値を利用し、前記所定部位が経穴点であるか否かを判断する経穴点判断部とを含む経穴点の検出装置が提供される。
【００１３】
本発明の他の類型によれば、生体光子を放出する生体に対する磁場刺激による生体光子の放出量変化を介して経穴点を検出する方法において、測定部位をｎ個の領域に分割する段階と、ｉ番目領域に対する生体光子を測定する段階（ｉは、分割されたｎ個の領域に付与された一連番号を表す）と、所定値とｉ番目領域で測定された生体光子の強さとを比較し、ｉ番目領域が経穴点であるか否かを判断する段階とを含む経穴点の検出方法を提供することである。
【００１４】
本発明のさらに他の類型によれば、生体に対する磁場印加による生体光子の放出量変化を介して特定部位を測定するための装置において、生体の測定部位に磁場を印加する磁場印加部と、測定部位から放出される生体光子を測定するための生体光子測定部と、生体光子測定部から測定された値を利用して測定部位が特定部位であるか否かを判断する判断部とを含む磁場の影響測定装置を提供するところにある。
【発明の効果】
【００１５】
本発明の望ましい実施形態によれば、生体の特定部位に磁場刺激を加えた場合、特定部位から出てくる生体光子の量と前記特定部位ではない他の生体部位から出てくる生体光子の量とを比較して経穴点であるか否かが分かる。
【００１６】
また、本発明の望ましい実施形態を利用すれば、従来の明らかにされていない経穴点を新しく知ることができる。
【００１７】
また、本発明の思想を利用すれば、生体の腫瘍部位のような特定部位の探索にも適用でき、このような経穴点の探索装置及び方法は、経絡−経穴の漢方医学的生体システムの特性研究に利用できる。さらに、医療用診断目的にも活用できる効果がある。
【発明を実施するための最良の形態】
【００１８】
以下、添付された図面を参照しつつ本発明の望ましい実施形態による生体光子測定を介した磁場刺激による生体光子の放出量変化による経穴点の探索測定装置及び該方法を詳細に説明する。
【００１９】
図２は、本発明の望ましい実施形態による磁場刺激による生体光子の放出量変化による経穴点の探索測定装置を説明するための概略的構成図である。
【００２０】
図２に図示されたように、磁場刺激による生体光子の放出量変化による経穴点の探索測定装置２００は、測定対象の生体２０２に磁場を印加するための磁場印加部２０４と、生体光子測定部２０６と、生体光子測定部２０６から出力されるデータを処理して経穴点を探索するための経穴点判断部２０８とを含む。
【００２１】
本発明の望ましい実施形態によれば、磁場印加部２０４は、永久磁石を利用して１０Ｇａｕｓｓないし１，０００Ｇａｕｓｓ範囲の磁場を印加することを特徴とする。
【００２２】
また、磁場印加部２０４は、交流または直流の電流を調節して６０Ｈｚ以内の超極低周波磁場を印加する構成を有することもある。
【００２３】
また、磁場印加部２０４は、生体２０２の所定部位の直径が１ｃｍ以内である場合にも、磁場刺激が可能なように設計されることが望ましい。
【００２４】
本発明の望ましい実施形態では、生体光子測定部２０６が光電子増倍管を含む遮蔽システムからなっている。使われる光電子増倍管は、次のような原理で動作される。すなわち、電子を固体表面に衝突させれば、衝突した電子自体が反射されるだけではなく、衝突した電子から固体内の電子にエネルギーが伝えられ、新しく固体内の電子が表面から飛び出してくる。このような現象を二次電子放出というが、この現象を利用して微小光電子を増幅し、その増幅された信号を感知できる。
【００２５】
光増倍管は、シャッタとプリアンプをさらに含むこともある。シャッタは、測定が始まるまでは閉まっているが、これは、光増倍管が一般的な室内電灯に露出されて損傷を受けることを防止するためである。また、光増倍管は、星明りの百万分の一程度に弱い光の生体光子を測定できるようになっているが、このように微弱な生体光子を測定するためには、外部の光が完全に遮断された暗室で測定することが望ましい。
【００２６】
本発明は、生体光子が人体の状態によって異なるように放出されることを着眼してなされた。本発明の望ましい実施形態で使われる光増倍管は、一般的に固体に適用される測定器であり、１つの光子を百万倍程度に増幅して測定するので、超微弱光を測定する目的に製作されることが望ましい。このような光増倍管は、入射光子の個数を測定できるので、単光子測定（ｓｉｎｇｌｅ ｐｈｏｔｏｎ ｃｏｕｎｔｉｎｇ）と称することもある。
【００２７】
光増倍管によって測定された生体光子は、プリアンプを介してコンピュータ／カウンティングボード（図示せず）に表示され、測定者にその測定結果をリアルタイムでディスプレイできる。この時、プリアンプは、光増倍管によって測定された生体光子を電圧に変更した後で増幅を行う。
【００２８】
また、本発明の望ましい実施形態によれば、光電子増倍管が２００ｎｍないし７００ｎｍ範囲の波長を有する光子を測定できることを特徴とする。
【００２９】
また、光電子増倍管の有効直径は、１ｃｍ以内の範囲で経穴点を探索できることを特徴とし、光電子増倍管が２００ｎｍないし７００ｎｍ範囲の波長を有する光子を測定できるものを使用することが望ましい。
【００３０】
また、生体光子測定部２０６は、二つ以上の光電子増倍管が同時に近接して使われる構成、多重チャンネル光増倍管（ＭＣＰ：Ｍｕｌｔｉ−Ｃｈａｎｎｅｌ Ｐｈｏｔｏｍｕｌｔｉｐｌｉｅｒ Ｔｕｂｅｓ）または電荷結合素子（ＣＣＤ：Ｃｈａｒｇｅ Ｃｏｕｐｌｅｄ Ｄｅｖｉｃｅ）のうちいずれか一つから形成され、生体光子の放出量の空間的分布を測定できることを特徴とする。
【００３１】
また、本発明の望ましい実施形態による経穴点の探索測定装置２００で、磁場印加部２０４は、生体２０２の皮膚表面の局部的な特定部位、例えば経穴点だけを刺激させる装置から構成されている。また、印加される磁場の形態は、永久磁石や電磁石を利用し、経時的に一定の周期を有して変化する波形の形態でありうる。このような経穴点は、以下の図３の説明で詳細に述べることとする。
【００３２】
生体光子測定部２０６は、磁場印加部２０４によって生体２０２に磁気刺激が加えられた後、前記磁気刺激が加えられる局部的な特定部位はもとより、前記特定部位ではない生体２０２の他の局所的な部位から放出される光も測定する。
【００３３】
磁場が加えられる領域と生体光子が測定される領域とは、直径１ｃｍ以内の領域に限定される。また、前記二領域間の距離は、最小２ｃｍより遠くなければならない。しかし、このような数値は、使われる磁場印加部２０４と生体光子測定部２０６の有効領域によって異なって設定されもする。
【００３４】
一方、生体光子測定部２０６は、データを収集して分析するためにコンピュータをさらに含むこともある。
【００３５】
経穴点判断部２０８は、経穴点を中心にいくつかの非経穴点から出てくる生体光子放出量を経穴点から出てくる生体光子放出量と比較し、所定の値を超えれば新しい経穴点であると決定する。本発明の望ましい実施形態で、前記所定の値、すなわち経穴点及び非経穴点を区分する生体光子放出量の差は、１分間測定した総生体光子の個数差が５０個以上である時としたが、それは実験条件によって可変的に設定できることは言うまでもない。
【００３６】
図３は、本発明の望ましい実施形態によって検出しようとする人体の経穴部位を表すための図面である。図面で、“Ａ”は曲沢穴を表し、“Ｂ”は内関穴であり、人体の代表的な経穴点を表す。
【００３７】
図４は、本発明の望ましい実施形態によって、人体に対して実験した結果であり、ヒジの部位から手首の部位に至る経絡上に経験的によく知られた図３に図示された２つの経穴点である曲沢及び内関穴について実験した実験データを表す図面である。
【００３８】
まず、内側ヒジ付近にある経穴点である曲沢に磁気刺激を加えつつ、ヒジから手首部方向に図３に図示された他の経穴点である内関穴から出てくる生体光子を測定した。
【００３９】
また、経穴点及び非経穴点から放出される生体光子の放出量の差を示すために、内関穴地点から２ｃｍ離れた非経穴部位を選択して生体光子放出量を測定して比較した。
【００４０】
図４に図示されたように、磁場刺激が加えられていない模造実験の場合には、経穴点及び非経穴点での生体光子放出量の差が見られない。しかし、５００Ｇａｕｓｓの一定の磁場で人体に磁気刺激を与えた場合には、経穴点及び非経穴点から出てくる生体光子放出量の差が明確であることを表している。
【００４１】
図５は、本発明の望ましい実施形態によって磁場刺激による生体光子の放出量変化による経穴点探索を行う方法を説明するためのフローチャートである。図５を参照すれば、磁場刺激による生体光子の放出量変化による経穴点探索を行う方法は、段階Ｓ１００ないしＳ１１８を含む。
【００４２】
以下で、図２に図示された経穴点の探索測定装置２００を参照し、図５に図示された磁場刺激による生体光子の放出量変化による経穴点探索を行う方法を説明する。
【００４３】
段階Ｓ１００で、測定しようとする生体２０２の測定部位をｎ個の領域に分割する。この時、フローチャートには図示されていないが、生体２０２の測定部位を周囲の光から遮断をする段階をさらに含むことができる。
【００４４】
次に、段階Ｓ１０２で、分割された領域のそれぞれに一連番号ｉを付与するが、ｉは１ないしｎの整数を意味する。ここで、ｎは１より大きい整数である。
【００４５】
段階Ｓ１０４で、ｉを１と設定する。本発明の望ましい実施形態で、ｉを１ずつ増加させつつ分割された領域を走査（ｓｃａｎ）でき、一方ではそれ以上の値に増加させつつ探索を実施することができ、それ以外のジグザグ（ｚｉｇｚａｇ）スキャンを適用するように段階Ｓ１０４を変形することもできる。
【００４６】
次の段階で、段階Ｓ１０６で、ｉ番目領域についての生体光子を測定し、ｉ番目領域の測定部位から放出される生体光子の強さＩｉを得る。
【００４７】
次に、段階Ｓ１０８で、Ｉｉを利用して測定部位から放出される生体光子の強さの平均値Ｉａを次の数式１によって計算する。
【００４８】
【数１】
2005199068.tif 000003
【００４９】
ここで、Ｉａは生体光子強さの平均値を表し、ｎは測定しようとする生体部位を分割した領域の個数を意味する。
【００５０】
次に、段階Ｓ１１０で、ｉ番目の領域から測定された生体光子の強さＩｉを次の数式２によって比較し、ｉ番目領域が経穴点であるか否かを判断する。
【００５１】
【数２】
2005199068.tif 000004
【００５２】
ここで、Ｉａは測定された生体光子強さの平均値であり、Ｉｉはｉ番目に測定された領域の生体光子の強さを表す。また、Ｉｔｈは所定値であり、本発明の望ましい実施形態では、１分間測定された生体光子の個数差が５０個以上である場合に該当する値に設定した。
【００５３】
段階Ｓ１１０で、判断した結果が否定的ならば、段階Ｓ１１２へ進み、ｉ＝ｎであるか否かを判別する。段階Ｓ１１２での判断結果が肯定的ならば、段階Ｓ１１８に進み、もしに否定的ならば、段階Ｓ１０４に再び戻って工程を行い続ける。
【００５４】
一方、段階Ｓ１１０で判断した結果が肯定的ならば、段階Ｓ１１４に進み、ｉ番目領域を経穴点として貯蔵をする。
【００５５】
次に、段階Ｓ１１６で、ｉ＝ｎであるか否かを判別する。段階Ｓ１１６での判断結果が肯定的ならば、段階Ｓ１１８に進み、もし否定的ならば、段階Ｓ１０４に再び戻って工程を行い続ける。
【００５６】
最後に、段階Ｓ１１８で、ｎ番目領域の測定部位についての測定が全て完了した場合には、段階Ｓ１１４で保存された経穴点に該当するあらゆる領域を経穴点として表示する。
【００５７】
たとえ、本発明の望ましい実施形態では、特定部位の経穴点を例として説明したとしても、本発明の思想を経穴点でない、例えば癌の腫瘍のような生体の特定部位を探すために適用できることは言うまでもない。
【００５８】
一方、本発明の望ましい実施形態による磁場刺激による生体光子の放出量変化による経穴点探索を行う方法で、ｉ番目領域の測定部位から放出される生体光子の強さＩｉを利用して平均値Ｉａを算出する方式で計算を行ったが、経穴点でないさまざまな地点についてすでに算出した平均値を利用して本発明の思想を行うことができることは言うまでもない。
【００５９】
また、本発明の望ましい実施形態は、人体を例にして説明しているが、最近の医学分野、特に漢方医学分野で進行中である動物実験の重要度を考慮し、ラットのような小動物に対する特定部位点の探索と磁場刺激による生体光子の放出量変化測定とは、漢方医学的な診断及び治療のために適用することができることは言うまでもない。
【００６０】
本発明は、図面に図示された実施形態を参考に説明されたが、それは例示的なものに過ぎず、当分野で当業者ならば、それから多様な変形及び均等な他実施形態が可能であるという点が理解できるであろう。従って、本発明の真の技術的保護範囲は、詳細な説明の範囲内に決まるものではなく、添付された特許請求の範囲により決まるものである。
【産業上の利用可能性】
【００６１】
本発明の思想を利用すれば、周囲の変数にあまり影響されない生体光子の特性を利用してさらに正確な経穴点探索が可能である。
【図面の簡単な説明】
【００６２】
【図１】従来技術によって経穴点を探索する装置の機能的ブロック線図である。
【図２】本発明の望ましい実施形態による磁場刺激による生体光子の放出量変化による経穴点の探索測定装置を説明するための概略的構成図である。
【図３】本発明の望ましい実施形態によって検出しようとする人体の経穴部位を表すための図面である。
【図４】本発明の望ましい実施形態によって実験した実験データを表す図面である。
【図５】本発明の望ましい実施形態によって磁場刺激による生体光子の放出量変化による経穴点探索を行う方法を説明するためのフローチャートである。
【符号の説明】
【００６３】
２００    経穴点探索測定装置
２０２    生体
２０４    磁場印加部
２０６    生体光子測定部
２０８    経穴点判断部
【図１】
2005199068.tif 000007
【図２】
2005199068.tif 000008
【図３】
2005199068.tif 000009
【図４】
2005199068.tif 000010
【図５】
2005199068.tif 000011